(57)【特許請求の範囲】
【請求項１】
基材上に吸水性ポリマー、及び、水酸化マグネシウム、炭酸マグネシウム、炭酸カルシウム、硫酸カルシウムから選ばれる栄養剤、及び、バーミキュライト、パーライトから選ばれる土壌剤、及び、シリカ、ラジオライトから選ばれる吸水助剤、及び、有機発泡剤を含有した発泡樹脂層を少なくとも具備し、当該発泡樹脂層の表面には有性または無性の繁殖器官を含有した水性インキによる絵柄を形成してなることを特徴とする播種シート。
【請求項２】
発泡樹脂層には根、菌糸類、分化根を定着させ、水分及び空気を保持するための発泡したセルが形成してあることを特徴とする請求項１に記載の播種シート。
【請求項３】
基材が紙であることを特徴とする請求項１または請求項２に記載の播種シート。
【請求項４】
発泡樹脂層は生分解性または光分解性を有することを特徴とする請求項１ないし請求項３のいずれか１項に記載の播種シート。
【発明の詳細な説明】
【０００１】
【発明の属する技術分野】
本発明は、シートの一部に、種子、胞子類、地衣類、細胞塊等の有性または無性の繁殖器官（以下本明細書においては種子類という）を含有するインキによる絵柄が形成されている播種シートに関し、特に任意の播種パターンが印刷手段で容易に設定可能で、しかも壁紙のように任意の場所に貼り付けるようにして播種することもできると共に、播種の作業を軽減させ、しかも大量生産を可能とする播種シートに関する。
【０００２】
【従来の技術】
従来、種子類が所望の配列状態でシートに配置されてなり、例えば田畑や苗床等に敷き詰めるだけで非常に簡便に播種並びに育成を行えるようにした播種シートが種々出回っている。その中で、建物の外壁、塀、衝立等に貼り付けたり、巻き付けることで播種が行え、そこで種子類を生育させることによりその部分を草花で装飾できるようにした播種シートがある。このタイプの播種シートは、例えば、ビニルシートに軽土を敷き詰め、そこに任意の柄に植物の種子を配置したもので、外壁や塀等に取り付けられるようにしたものである。しかし、このようなタイプの播種シートは大量生産がしにくく、かつ重量があるため、作業性が良好でなく、しかも使用できる場所も限定されていた。
【０００３】
一方、基材上に粘着性を有するドットを所定間隔で設け、植物の種子をこのドット上に付着させてなる播種シート、あるいは基材上に粘着性を有するドットを所定間隔で設け、植物の種子をこのドット上に付着させると共に、種子を覆うように種子固定シートを積層させた播種シート、さらには植物の種子を紙基材の一部に漉き込んでなる播種シート等もある。しかし、これらのシートは種子が脱落し易かったり、任意形状の播種パターンが簡便に形成できにくかったり、あるいはシートの構成が複雑で製造に手間がかかる等の問題点があった。
【０００４】
【発明が解決しようとする課題】
本発明は、以上のような問題点を解決するためになされたものであり、播種パターンの設定が印刷手段により容易にでき、しかも任意の場所に壁紙のように貼り付けて播種することもでき、さらには水分の呼び込み、栄養分の確保、種子類の根、菌糸類、分化根等の定着性等にも優れる播種シートの提供を目的とする。
【０００５】
【課題を解決するための手段】
本発明は、上記の目的を達成するためになされたものであり、請求項１に記載の播種シートは、基材上に吸水性ポリマー、及び、水酸化マグネシウム、炭酸マグネシウム、炭酸カルシウム、硫酸カルシウムから選ばれる栄養剤、及び、バーミキュライト、パーライトから選ばれる土壌剤、及び、シリカ、ラジオライトから選ばれる吸水助剤、及び、有機発泡剤を含有した発泡樹脂層を少なくとも具備し、当該発泡樹脂層の表面には有性または無性の繁殖器官を含有した水性インキによる絵柄を形成してなることを特徴とする。
【０００６】
また、請求項２に記載の播種シートは、請求項１に記載の播種シートにおいて、発泡樹脂層には根、菌糸類、分化根を定着させ、水分及び空気を保持するための発泡したセルが形成してあることを特徴とする。
【０００７】
さらにまた、請求項３に記載の播種シートは、請求項１または請求項２に記載の播種シートにおいて、基材が紙であることを特徴とする。
【０００８】
さらにまた、請求項４に記載の播種シートは、請求項１ないし請求項３のいずれか１項に記載の播種シートにおいて、発泡樹脂層は生分解性または光分解性を有することを特徴とする。
【０００９】
【発明の実施の形態】
以下、本発明による実施の形態について図面を参照にして説明する。
【００１０】
図１は、本発明の一実施形態による播種シート１の概略の構成を示す一部拡大斜視説明図である。
この播種シート１は基材２上に、吸水性ポリマーを含有した発泡樹脂層３が設けられ、この吸水性ポリマーを含有した発泡樹脂層３の表面には有性または無性の生殖器官、例えば種子、胞子類、地衣類、細胞塊等を含有したインキによる絵柄４が施されている。
【００１１】
基材２は、本発明の播種シート１の支持体となるものである。具体的には、薄葉紙、チタン紙、無機紙または難燃紙等の紙類や、織布または不織布等の布類等あるいはそれらの積層体や複合体等であり、これらの中から用途に合わせて適宜のものを選択すればよい。
【００１２】
一方、この基材２上に設けられている発泡樹脂層３は、任意の樹脂に少なくとも吸水性ポリマーと発泡剤を含有した組成物からなっており、全体あるいは一部が発泡している。
【００１３】
発泡樹脂層３を構成する樹脂としては、種々の汎用樹脂が適用可能であるが、例えば播種シート１を壁紙や外装材等の化粧シートのように壁や外壁を装飾するために使用することを考えると、ポリエチレン、ポリプロピレン、ポリスチレン、ポリブチレン、ポリカーボネート、ポリエステル、ポリアミド、エチレン−酢ビ共重合体、ポリビニルアルコール、アクリル、ＡＢＳ等の樹脂が挙げられる。
【００１４】
また、播種シート１を庭、田畑、苗床等の土の上に敷きつめて使用する場合、発泡樹脂層３を構成する樹脂としては、生分解性または光分解性の樹脂を採用することが好ましい。播種シートによる播種が終了し、所定期間が経過して播種シート中の種子類が所望の大きさまで生育して用済みになったシートを微生物や光等により分解させるためである。
【００１５】
具体的には、ポリカプロプラン、ポリヒドロキシブチレート、ポリ乳酸、デンプン、セルロース等である。
【００１６】
一方、これらの樹脂に含有させて全体あるいは一部を発泡させる発泡剤としては、有機発泡剤、無機発泡剤、カプセル発泡剤等が挙げられる。
【００１７】
この層を発泡させるのは、発泡させることで層内にセルを形成させ、後述するインキ中に含有する種子類から分化する根、菌糸類、分化根等の定着性、さらには種子類の生育時に必要な水分や空気等の保持性等を付与するためである。
【００１８】
また、発泡樹脂層３には、水分の呼び込み促進、栄養分の確保、種子類から分化してくる根、菌糸類、分化根等の定着性の維持等の向上を目的として吸水性ポリマーが含有させてある。
【００１９】
吸水性ポリマーとしては、デンプン系ポリマー、セルロース系ポリマー、ヒアロン酸系ポリマー、ポリビニルアルコール系ポリマー、アクリル酸塩系ポリマー、アクリルアミド系ポリマー等を用いることができる。また、これらの吸水性ポリマーと併せて多孔性のシリカ、ラジオライト等の吸水助剤を含有させてもよい。
【００２０】
吸水性ポリマーや吸収助剤は、種子類の種類、播種シートの設置場所、播種シートを使用する時期、必要とする吸水量等を勘案し、上記したものの中から適宜のものを選択すればよい。
【００２１】
また、発泡樹脂層３には上記の吸水性ポリマーや吸収助剤の他に、水酸化マグネシウム、炭酸マグネシウム、炭酸カルシウム、硫酸カルシウム等の充填剤（栄養剤（肥料））、さらにはバーミキュライト、パーライト等の充填剤（土壌剤）等を必要に応じて加えてもよい。
【００２２】
上記充填剤の添加量としては、発泡樹脂１００重量部に対して５０〜３００重量部が好ましい。添加量が５０重量部未満の場合には、加えた充填剤による効果が十分に発揮できず、３００重量部を越えるとシートの表面強度や成形性等のプラスチック特性が悪くなる。
【００２３】
一方、発泡樹脂層３の表面には所望形状の絵柄４が形成されている。この絵柄４は種子類を含有する水性インキ、樹脂インキ等によりスクリーン印刷、グラビア印刷等により形成される。
【００２４】
【実施例】
以下、実施例により本発明を詳細に説明する。
＜実施例１＞
坪量７０ｇ／ｍ2の壁紙原紙上に、下記組成の発泡樹脂組成物を用いて押し出し成形により樹脂層を形成した。塗布量は３００ｇ／ｍ2であった。
＜発泡樹脂組成物＞
ポリエチレン                          ３０重量部
炭酸カルシウム                        １６重量部
バーミキュライト                      ３２重量
吸水性ポリマー（デンプン系ポリマー）    ４重量部
シリカ                                １６重量部
有機発泡剤（ＡＤＣＡ）                  ２重量部
次に、この樹脂層の上に下記組成のインキを使用してスクリーン印刷により絵柄模様を形成した。続いて、得られた積層体をオーブンに入れ、２００℃、１０秒の条件で樹脂層を発泡させて発泡樹脂層とし、播種シートを得た。
＜インキ組成＞
水性インキ                            ９５重量部
ラディッシュの種                        ５重量部
このようにして得られた播種シートの壁紙原紙側にでんぷん糊を塗布し、建物の窓際の壁面に貼り付けた。４日後に播種シートの絵柄模様の部分からラディッシュの芽が出ていた。
【００２５】
坪量７０ｇ／ｍ2の壁紙原紙上に、下記組成の発泡樹脂組成物を用いて押し出し成形により樹脂層を形成した。塗布量は３００ｇ／ｍ2であった。
＜発泡樹脂組成物＞
ポリ乳酸                              ３０重量部
炭酸カルシウム                        １６重量部
バーミキュライト                      ３２重量部
吸水性ポリマー（デンプン系ポリマー）    ４重量部
シリカ                                １６重量部
有機発泡剤（ＡＤＣＡ）                  ２重量部
次に、この樹脂層の上に前記組成のインキを使用してスクリーン印刷により絵柄模様を形成した。続いて、得られた積層体をオーブンに入れ、２００℃、１０秒の条件にて樹脂層を発泡させて発泡樹脂層とし、播種シートを得た。
このようにして得られた播種シートをプランター内の土の上に敷き詰めた。
４日後、絵柄模様部より芽が出始めていた。さらに１ヶ月が経過すると、ラディシユの実がなっていた。この時点で、播種シートの発泡樹脂層はその１／４が分解していた。
【００２６】
本発明は以上のような構成であるため、土の上に敷き詰めて使用する他、任意の場所に壁紙のように貼り付けて播種作業を行うことも可能であり、しかも水分の呼び込みの促進、栄養分の確保、種子類の根、菌糸類、分化根等の定着性の維持にも優れる。また、発泡樹脂を生分解性または光分解性を有するものとすることにより、所定期間が経過して種子類が所望の大きさまで生育してシートを必要としなくなった場合には、シートをわざわざ回収をする必要がなくなる。
また、播種パターンの設定を印刷手段により簡便に行えるようにもなる。
【図面の簡単な説明】
【図１】発明の一実施形態を示す一部拡大斜視説明図である。
【符号の説明】
１            播種シート
２            基材
３            発泡樹脂層
４            絵柄
【図１】
0004010108.tif 000002